(57)【要約】移動端末は、支持アセンブリと、表示画面と、可動ベースとを含む。支持アセンブリは、第一のハウジングと、第二のハウジングと、屈曲可能部材とを含む。第一のハウジングは、第一の凹部を画定する。第二のハウジングは、第二の凹部を画定する。屈曲可能部材は、第一のハウジングと第二のハウジングとの間に接続され、支持アセンブリを折り開くために、または折り畳むために、展開可能または屈曲可能である。可動ベースは、第一の凹部に移動可能に取り付けられている。可動ベースは、カメラを保持して、第一の円周側面に対して、第一の凹部から搬出するように、またはその中に退避するようにすることができ、第二の凹部は、可動ベースの一部を収容する。【選択図】図１
2021517994.tif 000002
【特許請求の範囲】
【請求項１】
支持アセンブリであって、
第一の凹部を画定する第一のハウジングであって、
第一の内面と、
前記第一の内面に対向して配置される第一の外面と、
前記第一の内面と前記第一の外面との間に接続された第一の円周側面であって、前記第一の内面は前記第一の凹部が画定されるように前記第一の外面に向かって凹み、前記第一の凹部は前記第一の円周側面に延在する、第一の円周側面と、
を備える第一のハウジングと、
第二の凹部を画定する第二のハウジングであって、
前記支持アセンブリを折り畳むと、前記第一の内面に対向する第二の内面と、
前記第二の内面に対向して配置された第二の外面であって、前記第一の凹部は、前記第一の内面上の前記第二の凹部の突起部によって覆われている、第二の外面と、
を備える第二のハウジングと、
前記第一のハウジングと前記第二のハウジングとの間に接続され、前記支持アセンブリを折り開くために、または折り畳むために展開可能または屈曲可能な屈曲可能部材と、
を備える、支持アセンブリと、
表示画面であって、前記表示画面の一部が前記第一の外面に保持され、前記表示画面の別の一部が前記第二の外面に保持される、表示画面と、
前記第一の凹部内に移動可能に取り付けられる可動ベースであって、前記可動ベース内にカメラが配置され、前記可動ベースは、前記カメラを保持して、前記第一の円周側面に対して、前記第一の凹部から搬出するように、またはその中に退避するようにすることができ、前記第二の凹部は、前記可動ベースの一部を収容するように構成されている、可動ベースと、
を備える、移動端末。
【請求項２】
前記可動ベースの前記一部が前記第二の凹部内に収容されると、第一のギャップが、前記可動ベースの外側壁と前記第二の凹部内の前記第二の内面との間に画定される、請求項１に記載の移動端末。
【請求項３】
前記第二のハウジングは、前記第二の凹部内の前記第二の内面上に、互いに離間した複数の突出部をさらに備え、前記複数の突出部と前記可動ベースの外面との間に、第二のギャップが画定され、前記第二のギャップは前記第一のギャップよりも小さい、請求項２に記載の移動端末。
【請求項４】
前記第一のハウジングは、互いに対向する第一の側壁と第二の側壁とを備え、前記第一の側壁および前記第二の側壁は、前記第一の凹部内にあり、前記可動ベースは、前記第一の側壁および前記第二の側壁に摺動可能に接続され、前記第一の凹部から摺動して出入りする、請求項２に記載の移動端末。
【請求項５】
第一の案内レールが前記第一の側壁に凹設され、第二の案内レールが前記第二の側壁に凹設され、前記第二の案内レールと前記第一の案内レールとの延伸方向が同じであり、互いに対向する第一の案内ブロックと第二の案内ブロックとが前記可動ベース上に配置され、前記第一の案内ブロックは前記第一の案内レール上に摺動可能に取り付けられ、前記第二の案内ブロックは前記第二の案内レール上に摺動可能に取り付けられる、請求項４に記載の移動端末。
【請求項６】
前記第一の凹部内の前記第一の内面は円弧状であり、前記可動ベースの前記外側壁は円弧状であり、前記可動ベースの前記外側壁は、前記第一の凹部内の前記第一の内面と対向し、前記可動ベースは、前記第一のハウジングに回転可能に接続され、前記第一の凹部から回転して出入りする、請求項２に記載の移動端末。
【請求項７】
前記第一の内面上の前記第二の凹部の突起形状と、前記第一の内面上の前記第一の凹部の開口形状とが、同一である、請求項４〜６のいずれか一項に記載の移動端末。
【請求項８】
前記第一の円周側面は、第一の頂面と、前記第一の頂面に対向する第一の底面と、前記第一の頂面と前記第一の底面との間に接続される第一の側面とを備え、
前記第一の凹部は、前記第一の頂面、前記第一の底面、および前記第一の側面のうちの１つまで延在する、請求項１〜６のいずれか一項に記載の移動端末。
【請求項９】
前記表示画面は、可撓性表示画面であり、前記第一の外面と、前記屈曲可能部材の外面と、前記第二の外面とは、前記表示画面を一括して保持する、請求項１〜６のいずれか一項に記載の移動端末。
【請求項１０】
前記支持アセンブリは、
前記第一のハウジング上に配置された第一のロック部材と、
前記第二のハウジング上に配置された第二のロック部材をさらに備え、
前記第一のロック部材は、前記支持アセンブリを折り畳むと、前記第二のロック部材と協働する、請求項１〜６のいずれか一項に記載の移動端末。
【請求項１１】
前記第一のロック部材は第一の永久磁石であり、前記第二のロック部材は第二の永久磁石であり、前記第一の永久磁石は、前記支持アセンブリを折り畳むと、前記第二の永久磁石に磁気的に引き付けられるか、あるいは、
前記第一のロック部材は前記第一の内面から突出するブロックであり、前記第二のロック部材は前記第二の内面に凹設されたスロットであり、前記ブロックは、前記支持アセンブリを折り畳むと、前記スロットと係合する。請求項１０に記載の移動端末。
【請求項１２】
前記カメラの撮像面の向きが、前記第一の内面の向きと同じであり、
前記移動端末は、前記第一のハウジングまたは前記第二のハウジングに収容されたコントローラをさらに備え、前記コントローラは、撮影信号を受信し、前記撮影信号に基づいて、前記支持アセンブリが折り開き状態にあるか、または折り畳み状態にあるかを検出し、前記支持アセンブリが前記折り開き状態にあるときに、前記カメラを制御して撮影するように、前記支持アセンブリが前記折り畳み状態にあるときに、前記可動ベースを駆動して、前記カメラを保持して、前記第一の凹部から搬出させ、前記カメラを制御して撮影するように構成される、請求項１〜６のいずれか一項に記載の移動端末。
【請求項１３】
前記表示画面は、前記第一の外面と重なり合う第一の表示領域と、前記第二の外面と重なり合う第二の表示領域とを備え、
前記コントローラは、前記撮影信号が正面撮影用であるか背面撮影用であるかを判定し、前記撮影信号が背面撮影用である場合、前記第一の表示領域を切り替えて前記カメラの撮影インタフェースを表示するように、前記撮影信号が正面撮影用である場合、前記第二の表示領域を切り替えて前記カメラの前記撮影インタフェースを表示するように、さらに構成される、請求項１２に記載の移動端末。
【請求項１４】
前記カメラの撮像面の向きが、前記第一の外面の向きと同じであり、
前記移動端末は、前記第一のハウジングまたは前記第二のハウジングに収容されたコントローラをさらに備え、前記コントローラは、撮影信号を受信し、前記可動ベースを駆動して、前記カメラを保持して、前記第一の凹部から搬出させ、前記撮影信号に基づいて、前記カメラを制御して撮影するように構成される、請求項１〜６のいずれか一項に記載の移動端末。
【請求項１５】
前記表示画面は、前記第一の外面と重なり合う第一の表示領域と、前記第二の外面と重なり合う第二の表示領域とを備え、
前記コントローラは、前記撮影信号が正面撮影用であるか背面撮影用であるかを判定し、前記撮影信号が正面撮影用である場合、前記第一の表示領域を切り替えて前記カメラの撮影インタフェースを表示するように、前記撮影信号が背面撮影用である場合、前記第二の表示領域を切り替えて前記カメラの前記撮影インタフェースを表示するように、さらに構成される、請求項１４に記載の移動端末。
【発明の詳細な説明】
【技術分野】
【０００１】
本開示は、一般に、移動端末の技術分野に関する。
【背景技術】
【０００２】
近年、より良い使用体験を得るために、ユーザの大画面表示に対する要求が急速に高まっている。しかしながら、カメラ等の部品も携帯電話の正面に配置する必要があり、それらの部品は表示画面の配置のための空間を制限するため、携帯電話の画面本体比を向上させることは困難である。
【発明の概要】
【課題を解決するための手段】
【０００３】
本開示の一態様によれば、移動端末が提供される。移動端末は、支持アセンブリと、表示画面と、可動ベースとを含む。支持アセンブリは、第一のハウジングと、第二のハウジングと、屈曲可能部材とを含む。第一のハウジングは、第一の凹部を画定し、第一の内面と、第一の内面に対向して配置された第一の外面と、第一の内面と第一の外面との間に接続された第一の円周側面とを含む。第一の内面は、第一の凹部が画定されるように第一の外面に向かって凹み、第一の凹部は、第一の円周側面まで延在する。第二のハウジングは、第二の凹部を画定し、支持アセンブリを折り畳むと、第一の内面に対向する第二の内面と、第二の内面に対向して配置される第二の外面とを含む。第一の凹部は、第一の内面上の第二の凹部の突起部によって覆われている。屈曲可能部材は、第一のハウジングと第二のハウジングとの間に接続され、支持アセンブリを折り開くために、または折り畳むために、展開可能または屈曲可能である。表示画面の一部は、第一の外面上に保持され、表示画面の別の一部は、第二の外面上に保持される。可動ベースは、第一の凹部に移動可能に取り付けられている。可動ベース内にカメラが配置され、可動ベースは、カメラを保持して、第一の円周側面に対して、第一の凹部から搬出するように、またはその中に退避するようにすることができ、第二の凹部は、可動ベースの一部を収容するように構成されている。
【発明の効果】
【０００４】
可動ベースは、カメラを保持して、第一の円周側面に対して、第一の凹部から搬出するように、またはその中に退避するようにすることができるので、可動ベースは、カメラが撮影に必要な場合、カメラを保持して第一の凹部から搬出するようにして、撮影を行うことができる。可動ベースは、カメラが撮影に必要のない場合、第一の凹部の中に退避するように保持する。したがって、カメラは、移動端末の第一の外面と第二の外面とを占有する必要がなく、表示画面を第一の外面と第二の外面とに可能な限り大きく配置することができるので、移動端末の画面本体比が比較的高くなる。
【０００５】
本開示の実施形態において説明される技術的解決策をより明確にするために、実施形態の説明に使用される図面を簡単に説明する。明らかに、以下に記載される図面は、説明するためだけのものであり、限定するためのものではない。当業者であれば、本発明を実施することなく、これらの図面に基づいて、他の図面を得ることができることを理解されたい。
【図面の簡単な説明】
【０００６】
【図１】本開示の一実施形態により折り畳み状態にある移動端末の概略構造図である。
【図２】折り開き状態にある図１の移動端末の概略構造図である。
【図３】図１における移動端末の支持アセンブリの概略構造図である。
【図４】本発明の一実施形態による図１の移動端末のカメラの配置位置を示す概略構造図である。
【図５】図４の構造を折り畳み状態で示す概略構造図である。
【図６】図１の移動端末の平面図である。
【図７】本開示の一実施形態による図６のＡにおける構造の概略図である。
【図８】別の角度で折り開き状態にある図１の移動端末の概略構造図である。
【図９】本開示の別の実施形態による図６のＡにおける構造の概略図である。
【図１０】本開示のさらなる別の実施形態による図６のＡにおける構造の概略図である。
【図１１】本開示の別の実施形態による移動端末の概略構造図である。
【図１２】図１１のＢにおける構造の拡大図である。
【図１３】図１の移動端末の部分図である。
【図１４】本発明の別の実施形態による移動端末の概略構造図である。
【図１５】別の実施形態による図１に示す移動端末のカメラの配置位置の概略構造図である。
【図１６】図１の移動端末の可動ベースとカメラの分解図である。
【図１７】本開示の一実施形態による図１の移動端末のコントローラの概略ブロック図である。
【図１８】本開示の別の実施形態による図１の移動端末のコントローラの概略ブロック図である。
【図１９】本開示の実施形態による移動端末を制御するための方法の第一のフローチャートである。
【図２０】本開示の実施形態による移動端末を制御するための方法の第二のフローチャートである。
【図２１】本開示の別の実施形態による移動端末を制御するための方法の第一のフローチャートである。
【図２２】本開示の別の実施形態による移動端末を制御するための方法の第二のフローチャートである。
【発明を実施するための形態】
【０００７】
一実施形態では、移動端末は、支持アセンブリと、表示画面と、可動ベースとを含む。支持アセンブリは、第一のハウジングと、第二のハウジングと、屈曲可能部材とを含む。第一のハウジングは、第一の凹部を画定し、第一の内面と、第一の内面に対向して配置された第一の外面と、第一の内面と第一の外面との間に接続された第一の円周側面とを含む。第一の内面は、第一の凹部が画定されるように第一の外面に向かって凹み、第一の凹部は、第一の円周側面まで延在する。第二のハウジングは、第二の凹部を画定し、支持アセンブリを折り畳むと、第一の内面に対向する第二の内面と、第二の内面に対向して配置される第二の外面とを含む。第一の凹部は、第一の内面上の第二の凹部の突起部によって覆われている。屈曲可能部材は、第一のハウジングと第二のハウジングとの間に接続され、支持アセンブリを折り開くために、または折り畳むために、展開可能または屈曲可能である。表示画面の一部は、第一の外面上に保持され、表示画面の別の一部は、第二の外面上に保持される。可動ベースは、第一の凹部に移動可能に取り付けられている。可動ベース内にカメラが配置され、可動ベースは、カメラを保持して、第一の円周側面に対して、第一の凹部から搬出するように、またはその中に退避するようにすることができ、第二の凹部は、可動ベースの一部を収容するように構成されている。
【０００８】
一例では、可動ベースの一部が第二の凹部内に収容されると、第一のギャップが、可動ベースの外側壁と第二の凹部内の第二の内面との間に画定される。
【０００９】
一例では、第二のハウジングは、第二の凹部内の第二の内面上に、互いに離間した複数の突出部をさらに含む。複数の突出部と可動ベースの外面との間に、第二のギャップが画定され、第二のギャップは第一のギャップよりも小さい。
【００１０】
一例では、第一のハウジングは、互いに対向する第一の側壁と第二の側壁とを含み、第一の側壁および第二の側壁は、第一の凹部内にあり、可動ベースは、第一の側壁および第二の側壁に摺動可能に接続され、第一の凹部から摺動して出入りする。
【００１１】
一例では、第一の案内レールが第一の側壁に凹設され、第二の案内レールが第二の側壁に凹設され、第二の案内レールと第一の案内レールとの延伸方向が同一であり、互いに対向する第一の案内ブロックと第二の案内ブロックとが可動ベース上に配置され、第一の案内ブロックは第一の案内レール上に摺動可能に取り付けられ、第二の案内ブロックは第二の案内レール上に摺動可能に取り付けられる。
【００１２】
一例では、第一の凹部内の第一の内面は円弧状であり、可動ベースの外側壁は円弧状であり、可動ベースの外側壁は、第一の凹部内の第一の内面と対向し、可動ベースは、第一のハウジングに回転可能に接続され、第一の凹部から回転して出入りする。
【００１３】
一例では、第一の内面上の第二の凹部の突起形状と、第一の内面上の第一の凹部の開口形状とは、実質的に同一である。
【００１４】
一例では、第一の円周側面は、第一の頂面と、第一の頂面に対向する第一の底面と、第一の頂面と第一の底面との間に接続される第一の側面とを含む。第一の凹部は、第一の頂面、第一の底面、および第一の側面のうちの１つまで延在する。
【００１５】
一例では、表示画面は、可撓性表示画面であり、第一の外面と、屈曲可能部材の外面と、第二の外面とは、表示画面を一括して保持する。
【００１６】
一例では、支持アセンブリは、第一のハウジング上に配置された第一のロック部材と、第二のハウジング上に配置された第二のロック部材とをさらに含む。第一のロック部材は、支持アセンブリを折り畳むと、第二のロック部材と協働する。
【００１７】
一例では、第一のロック部材は第一の永久磁石であり、第二のロック部材は第二の永久磁石であり、第一の永久磁石は、支持アセンブリを折り畳むと、第二の永久磁石に磁気的に引き付けられる。
【００１８】
一例では、第一のロック部材は第一の内面から突出したブロックであり、第二のロック部材は第二の内面に凹設されたスロットであり、ブロックは、支持アセンブリを折り畳むと、スロットと係合する。
【００１９】
一例では、カメラの撮像面の向きは、第一の内面の向きと同じである。移動端末は、第一のハウジングまたは第二のハウジングに収容されたコントローラをさらに備え、コントローラは、撮影信号を受信し、撮影信号に基づいて、支持アセンブリが折り開き状態にあるか、または折り畳み状態にあるかを検出し、支持アセンブリが折り開き状態にあるときに、カメラを制御して撮影するように、支持アセンブリが折り畳み状態にあるときに、可動ベースを駆動して、カメラを保持して、第一の凹部から搬出させ、カメラを制御して撮影するように構成される。
【００２０】
一例では、表示画面は、第一の外面と重なり合う第一の表示領域と、第二の外面と重なり合う第二の表示領域とを含む。さらに、コントローラは、撮影信号が正面撮影用であるか背面撮影用であるかを判定し、撮影信号が背面撮影用である場合、第一の表示領域を切り替えてカメラの撮影インタフェースを表示するように、撮影信号が正面撮影用である場合、第二の表示領域を切り替えてカメラの撮影インタフェースを表示するように、さらに構成される。
【００２１】
別の例では、カメラの撮像面の向きは、第一の外側表面の向きと同じである。移動端末は、第一のハウジングまたは第二のハウジングに収容されたコントローラをさらに含み、コントローラは、撮影信号を受信し、可動ベースを駆動して、カメラを保持して、第一の凹部から搬出させ、撮影信号に基づいて、カメラを制御して撮影するように構成される。
【００２２】
一例では、表示画面は、第一の外側と重なり合う第一の表示領域と、第二の外側と重なり合う第二の表示領域とを含む。コントローラは、撮影信号が正面撮影用であるか背面撮影用であるかを判定し、撮影信号が正面撮影用である場合、第一の表示領域を切り替えてカメラの撮影インタフェースを表示するように、撮影信号が背面撮影用である場合、第二の表示領域を切り替えてカメラの撮影インタフェースを表示するように、さらに構成されている。
【００２３】
別の実施形態では、移動端末は、第一の凹部を画定する第一のハウジングと、第二の凹部を画定する第二のハウジングと、屈曲可能部材と、カメラを備えた可動ベースとを含む。屈曲可能部材は、第一のハウジングと第二のハウジングとの間に接続され、第一のハウジングが第二のハウジングに対して折り開かれること、または折り畳まれることを可能にする。カメラを備えた可動ベースは、第一のハウジングに移動可能に取り付けられている。カメラを備えた可動ベースは、第一のハウジングが第二のハウジングに対して折り開かれるときに、第一の凹部に収容されるように構成され、第一のハウジングが第二のハウジングに対して折り畳まれるときに、第一の凹部および第二の凹部によって画定されるチャンバを収容するように構成されている。
【００２４】
一例では、カメラの撮像面は、第一の凹部内の第一のハウジングの壁に面する。第一のハウジングが第二のハウジングに対して折り畳まれたときに、カメラが撮影できるように、カメラを備えた可動ベースがチャンバから搬出され、第一のハウジングが第二のハウジングに対して折り開かれたときに、カメラが撮影できるように、カメラを備えた可動ベースが第一の凹部１１４から搬出される。
【００２５】
別の例では、カメラの撮像面は、第二の凹部内の第二のハウジングの壁に面する。第一のハウジングが第二のハウジングに対して折り畳まれたときに、カメラが撮影できるように、カメラを備えた可動ベースがチャンバから搬出され、第一のハウジングが第二のハウジングに対して折り開かれたときに、カメラが撮影できるように、カメラを備えた可動ベースが第一の凹部から搬出され、またはその中に退避する。
【００２６】
別の実施形態では、移動端末は、第一の凹部を画定する第一のハウジングと、第二の凹部を画定する第二のハウジングと、屈曲可能部材と、表示画面と、可動ベースとを含む。屈曲可能部材は、第一のハウジングと第二のハウジングとの間に接続され、第一のハウジングが第二のハウジングに対して折り開かれること、または折り畳まれることを可能にする。表示画面は、第一のハウジングと、第二のハウジングと、屈曲可能部材とに配置されている。カメラを備えた可動ベースは、第一のハウジングに移動可能に取り付けられている。カメラを備えた可動ベースは、第一のハウジングが第二のハウジングに対して折り開かれるときに、第一の凹部に収容されるように構成され、第一のハウジングが第二のハウジングに対して折り畳まれるときに、第一の凹部および第二の凹部によって画定されるチャンバを収容するように構成されている。
【００２７】
以下、図１〜図２２を参照して、移動端末１００について説明する。
【００２８】
図１および図２を一緒に参照すると、本開示の実施形態における移動端末１００が示されている。移動端末１００は、支持アセンブリ１と、表示画面２と、可動ベース３とを含む。表示画面２は、支持アセンブリ１に固定されている。支持アセンブリ１は、第一のハウジング１１と、第二のハウジング１２と、屈曲可能部材１３とを含む。屈曲可能部材１３は、第一のハウジング１１と第二のハウジング１２との間に接続されている。屈曲可能部材１３は、支持アセンブリを折り開くために、または折り畳むために、展開または屈曲することができる。
【００２９】
本開示では、支持アセンブリ１が折り開き状態にあるとき、１２０°〜１８０°の角度が、第一のハウジング１１と第二のハウジング１２との間に形成される。図２に示すように、支持アセンブリ１を折り開くときに、第一のハウジング１１と第二のハウジング１２との間の角度が１８０°であることを例として、本開示では説明する。支持アセンブリ１が折り畳み状態にあるとき、第一のハウジング１１と第二のハウジング１２との間には、０°から１５°の角度が形成される。図１に示すように、支持アセンブリ１を折り畳むときに、第一のハウジング１１と第二のハウジング１２との間の角度が０°であることを例として、本開示では説明する。
【００３０】
図２および図３を一緒に参照すると、第一のハウジング１１は、第一の内面１１１と、第一の外面１１２と、第一の円周側面１１３とを含む。表示画面２は、第一の外面１１２上に保持される。第一の内面１１１は、第一の外面１１２と対向して配置される。第一の円周側面１１３は、第一の内面１１１と第一の外面１１２との間に接続されている。第一のハウジング１１は、第一の凹部１１４を画定する。第一の内面１１１は、第一の凹部１１４が画定されるように第一の外面１１２に向かって凹み、第一の凹部１１４は、第一の円周側面１１３まで延在する。
【００３１】
図２〜図４を一緒に参照すると、可動ベース３には、カメラ４１が設けられている。可動ベース３は、第一の凹部１１４に移動可能に取り付けられている。可動ベース３は、カメラ４１を保持して、第一の円周側面１１３に対して、第一の凹部１１４から搬出させること、またはその中に退避させることができる。可動ベース３がカメラ４１を保持して、第一の円周側面１１３に対して、第一の凹部１１４から搬出させると、カメラ４１の撮像面を露出させることができる。このとき、カメラ４１は、撮影を実行することができる。可動ベース３がカメラ４１を保持して、第一の円周側面１１３に対して、第一の凹部１１４の中に退避させると、第一の凹部１１４から離れた可動ベース３の頂面が第一の円周側面１１３と実質的に面一となる。
【００３２】
図１および図３を一緒に参照すると、第二のハウジング１２は、第二の内面１２１と、第二の外面１２２とを含む。表示画面２は、第二の外面１２２上に保持される。第二の内面１２１は、第二の外面１２２と対向して配置される。第二のハウジング１２は、第二の凹部１２４を画定する。支持アセンブリ１を折り畳むと、第二の内面１２１は第一の内面１１１に対向して配置され、第一の凹部１１４は第一の内面１１１上の第二の凹部１２４の突起部によって覆われる。第二の凹部１２４は、可動ベース３の一部を収容するように構成されている。
【００３３】
本実施形態では、可動ベース３はカメラ４１を保持して、第一の円周側面１１３に対して、第一の凹部１１４から搬出するように、またはその中に退避するようにできるので、図４および図５に示すように、カメラ４１を備えた可動ベース３は、撮影が必要な場合、第一の凹部１１４から搬出される。図１および図２に示すように、カメラ４１を備えた可動ベース３は、撮影が不要な場合、第一の凹部１１４の中に退避させる。したがって、カメラ４１は、移動端末１００の第一の外面１１２および第二の外面１２２を占有する必要がなく、そのため、表示画面２は、第一の外面１１２と第二の外面１２２に可能な限り大きく配置することができるので、移動端末１００の画面本体比が比較的高くなる。
【００３４】
例えば、移動端末１００の画面本体比は、８５％、さらには９５％と高くすることができる。画面本体比とは、支持アセンブリ１を折り開いたときの、移動端末１００の画面（表示画面２等）の表示面積と、移動端末１００の厚さ方向の垂直面上における移動端末１００全体の投影面積との比をいう。換言すれば、画面本体比は、第一の外面１１２および第二の外面１２２に対する表示画面２の面積の比でもある。
【００３５】
支持アセンブリ１を折り開くと、表示画面２全体が表示できるので、移動端末１００は、大画面表示を実現することができる。支持アセンブリ１を折り畳むと、ユーザは、第一の外面１１２上に置かれた表示画面２の一部、または第二の外面１２２上に置かれた表示画面２の一部を選択して表示することができる。これにより、移動端末１００の相互作用モードが多様化し、ユーザ体験が向上する。さらに、第二の凹部１２４は可動ベース３の一部を収容するように構成されているため、支持アセンブリ１を折り畳むと、可動ベース３の一部が第二の凹部１２４に収容される。したがって、支持アセンブリ１を折り畳むと、移動端末１００の全体の厚さが薄くなり、移動端末１００の軽量薄型化を達成する上で有利である。第一の凹部１１４は第一の内面１１１上の第二の凹部１２４の突起部によって覆われているので、可動ベース３を第二の凹部１２４に良好に収容できるだけでなく、第二の凹部１２４における第二の内面も可動ベース３の移動の妨げにならないので、支持アセンブリ１を折り畳むと、可動ベース３を第一の凹部１１４から搬出すること、またはその中に退避させることができる。
【００３６】
この実施形態では、カメラ４１を使用しないときに、周囲の構造（例えば、第一のハウジング１１および第二のハウジング１２）によって保護されるように、カメラ４１を移動端末１００の内部に収納することも、使用する必要があるとき、移動端末１００から搬出して撮影を実行することもでき、摩耗および長期露光による灰の侵入といった問題を回避し、こうして、カメラ４１の撮影品質を効果的に確保するようにしてもよい。
【００３７】
「カメラ４１の撮像面を露出させることができる」とは、遮光効果を有する移動端末１００の構成要素（例えば、表示画面２等）によってカメラ４１の撮像面が遮光されないことを意味し、こうして、撮影を円滑に実行できることが理解できる。当然、保護機能を達成するためにカメラ４１の撮像面を光透過性レンズ等で覆うことは、依然として許容される。
【００３８】
図３および図６を一緒に参照すると、第二のハウジング１２は、第二の円周側面１２３をさらに含む。第二の円周側面１２３は、第二の内面１２１と第二の外面１２２との間に接続されている。第二の内面１２１は、第二の凹部１２４が画定されるように、第二の外面１２２に向かって凹んでいる。第二の凹部１２４は、第二の円周側面１２３まで延在する。支持アセンブリ１を折り畳むと、第一の円周側面１１３上の第一の凹部１１４の開口部が、第二の円周側面１２３上の第二の凹部１２４の開口部と連通している。これらの２つの開口部は、可動ベース３が第一の凹部１１４から搬出されるか、またはその中に退避される１つの出口側に組み合わされることができる。
【００３９】
屈曲可能部材１３は、弾性板構造、ヒンジ構造、軸連結構造等の様々な実施態様を有することができる。
【００４０】
図６を一緒に参照すると、一実施形態では、可動ベース３の一部が第二の凹部１２４に収容されると、可動ベース３と第二の凹部１２４内の第二の内面１２１との間に第一のギャップ３１が画定される。具体的には、第二の凹部１２４に収容される可動ベース３の外側壁の一部分は、第二の凹部１２４の凹壁から離間しており、それらは互いに接触せず、第一のギャップ３１がその間に画定される。
【００４１】
本開示では、第一のギャップ３１が可動ベース３と第二の凹部１２４内の第二の内面１２１との間に画定されているので、第二の凹部１２４内の第二の内面１２１は、可動ベース３が移動する際に可動ベース３に対する耐性がなく、可動ベース３をより円滑に第一の凹部１１４から搬出すること、またはその中に退避させることができるようになっている。
【００４２】
可動ベース３の外側壁の異なる領域と第二の凹部１２４内の第二の内面１２１との間の第一のギャップ３１の幅は、必ずしも等しくないことが理解できる。すなわち、第一のギャップ３１の異なる領域における幅は、必ずしも等しくなくてもよい。一実施形態では、第一のギャップ３１の異なる領域における幅は均一である。第一のギャップ３１の幅とは、第二の凹部１２４内の第二の内面１２１と可動ベース３の外側壁との間の垂直距離を意味する。
【００４３】
図７を一緒に参照すると、一実施形態では、第二のハウジング１２は、複数の突出部１２５をさらに含む。複数の突出部１２５は、第二の凹部１２４内の第二の内面１２１上で互いに離間している。複数の突出部１２５は、第二の凹部１２４内の第二の内面１２１上に、実質的に等間隔に配置されてもよい。複数の突出部１２５と可動ベース３との間に、第二のギャップ３２が画定され、第二のギャップ３２は第一のギャップ３１よりも小さい。
【００４４】
この実施形態では、第二のギャップ３２は、複数の突出部１２５が可動ベース３に抵抗を発生させないように規定され、こうして、可動ベース３は、依然として円滑に、第一の凹部１１４から搬出されるか、またはその中に退避する。第二のギャップ３２は、第一のギャップ３１よりも小さくなっており、可動ベース３の外側壁と複数の突出部１２５との間のギャップが小さくなるようになっている。移動端末１００が落下すると、または衝撃を受けると、複数の突出部１２５が可動ベース３に当接して、可動ベース３を制限して、可動ベース３が変位し過ぎることに起因して、駆動構造等が損傷するのを防止することができる。
【００４５】
本開示では、可動ベース３は、摺動可能または回転可能に、第一の凹部１１４から搬出させること、またはその中に退避させることができる。
【００４６】
例えば、一実施形態では、図８および図９を一緒に参照すると、第一のハウジング１１は、互いに対向して配置された第一の側壁１１４１および第二の側壁１１４２を含み、第一の側壁１１４１および第二の側壁１１４２は、第一の凹部１１４内にある。第一の側壁１１４１と第二の側壁１１４２とは、実質的に平行である。可動ベース３は、第一の側壁１１４１および第二の側壁１１４２に摺動可能に接続され、第一の凹部１１４に摺動して出入りする。具体的には、可動ベース３は、互いに対向して配置される第一の外側壁３３および第二の外側壁３４を含む。第一の外側壁３３は、第一の側壁１１４１に摺動可能に接続される。第二の外側壁３４は、第二の側壁１１４２に摺動可能に接続される。
【００４７】
本実施形態では、第一の側壁１１４１および第二の側壁１１４２が可動ベース３に案内役を果たし、第一の側壁１１４１および第二の側壁１１４２の移動方向と可動ベース３の移動方向とは実質的に同一である。
【００４８】
第一のハウジング１１は、第三の側壁１１４３および底壁１１４４をさらに含み、第三の側壁１１４３および底壁１１４４は、第一の凹部１１４内にある。第三の側壁１１４３は、第一の側壁１１４１と第二の側壁１１４２との間に接続され、第三の側壁１１４３は、第一の円周側面１１３から離間している。底壁１１４４は、第一の側壁１１４１と第二の側壁１１４２との間に接続され、底壁１１４４は、第三の側壁１１４３と第一の円周側面１１３との間にさらに接続される。
【００４９】
可動ベース３は、第三の外側壁３５および底壁３６をさらに含む。第三の外側壁３５は、第一の外側壁３３と第二の外側壁３４との間に接続される。可動ベース３が第一の凹部１１４の中に退避すると、第三の外側壁３５は第三の側壁１１４３に当接することができ、第三の側壁１１４３は可動ベース３を制限する。底壁３６は、第一の外側壁３３、第二の外側壁３４、および第三の外側壁３５に接続されている。底壁３６は、底壁１１４４に摺動可能に接続される。底壁１１４４は、可動ベース３を支持する。
【００５０】
移動端末１００は、第一の駆動アセンブリをさらに含む。第一の駆動アセンブリは、可動ベース３を駆動して、第一の凹部１１４から摺動して出入れするように構成される。第一の駆動アセンブリは、可動ベース３に部分的に固定され、第一のハウジング１１の内部に部分的に収容される。第一の駆動アセンブリは、複数の実施態様を有する。
【００５１】
例えば、図８を参照すると、第一の駆動アセンブリは、永久磁石１４１および電磁石１４２を含む。永久磁石１４１は、可動ベース３に固定される。永久磁石１４１は、第三の外側壁３５に埋め込まれてもよい。電磁石１４２は、第一のハウジング１１に固定される。電磁石１４２は、第三の側壁１１４３に隣接して配置することができ、例えば、電磁石１４２は、第三の側壁１１４３に埋め込まれる。電磁石１４２が通電されると、電磁石１４２は永久磁石１４１を反発して、または引き寄せ、可動ベース３を第一の凹部１１４から摺動して出入りする。電磁石１４２は、鉄ブロックと、鉄ブロックの外周に巻かれたコイルとを含む。電磁石１４２の磁場は、コイル内の電流の流れを制御することによって変化させる。
【００５２】
代替として、第一の駆動アセンブリは、スライダと、ねじと、モータとを含む。スライダは、可動ベース３に固定される。ねじおよびモータは、第一のハウジング１１の内部に収納される。ねじの外周側には、螺旋溝がある。スライダは、螺旋溝に部分的に埋め込まれ、螺旋に摺動可能に接続される。スライダは、実質的にストリップ形状とすることができる。スライダの一端は可動ベース３に固定され、スライダの他端は螺旋溝に埋め込まれる。モータを使用して、ねじを駆動して回転させ、スライダは、可動ベース３を保持して、摺動させる。例えば、モータがねじを駆動して、第一の方向に回転させると、スライダは、ねじの駆動下で可動ベース３を保持して、第三の側壁１１４３から離れる方向に摺動させて、可動ベース３を第一の凹部１１４から搬出するようにする。モータがねじを駆動して、第一の方向とは反対の第二の方向に回転させると、スライダは、ねじの駆動下で可動ベース３を第三の側壁１１４３に向かって摺動させ、可動ベース３を第一の凹部１１４の中に退避するようにする。モータの作用（回転方向、回転速度、回転角度等を含む）は、ユーザの要求に応じて調整することができる。
【００５３】
代替として、第一の駆動アセンブリは、スリーブと、駆動ロッドと、モータとを含む。スリーブは、可動ベース３に固定される。駆動ロッドおよびモータは、第一のハウジング１１の内部に収納される。スリーブは、駆動ロッドの外側にスリーブが付けられ、駆動ロッドにねじ込まれる。スリーブは、駆動ロッドに対して回転し、第一のハウジング１１に対して移動する。モータを駆動して、駆動ロッドを回転させ、スリーブが可動ベース３を保持して、摺動させる。モータが駆動ロッドを駆動して、第三の方向に回転させると、スリーブは、駆動ロッドの駆動下で可動ベース３を保持して、第三の側壁１１４３から離れる方向に摺動させて、可動ベース３を第一の凹部１１４から搬出する。モータが駆動ロッドを駆動して、第三の方向と反対の第四の方向に回転させると、スリーブは、駆動ロッドの駆動下で可動ベース３を保持して、第三の側壁１１４３に向かって摺動させて、可動ベース３を第一の凹部１１４の中に退避させる。モータの作用（回転方向、回転速度、回転角度等を含む）は、ユーザの要求に応じて調整することができる。
【００５４】
代替として、第一の駆動アセンブリは、ラックと、歯車と、モータとを含む。ラックは、可動ベース３に固定される。歯車およびモータは、第一のハウジング１１の内部に収納される。歯車は、ラックと噛み合う。歯車は、第一のハウジング１１の内部に収納される。ラックの一端は可動ベース３に固定され、ラックの他端は第一のハウジング１１内に延設される。モータは、第一のハウジング１１の内部に収納される。モータは、歯車を駆動して回転させ、ラックが可動ベース３を保持して、摺動するように構成される。モータが歯車を駆動して第五の方向に回転させると、ラックは、歯車の駆動下で、可動ベース３を保持して、第三の側壁１１４３から離れるように摺動し、こうして、可動ベース３を第一の凹部１１４から搬出する。モータが歯車を駆動して第五の方向と反対の第六の方向に回転させると、ラックは、歯車の駆動下で、可動ベース３を保持して、第三の側壁１１４３に向かって摺動し、こうして、可動ベース３を第一の凹部１１４の中に退避させる。モータの作用（回転方向、回転速度、回転角度等を含む）は、ユーザの要求に応じて調整することができる。
【００５５】
複数の第一の駆動アセンブリが存在してもよく、複数の第一の駆動アセンブリは、離間して配置され、可動ベース３をより円滑に駆動する。
【００５６】
図１０を一緒に参照すると、第一の側壁１１４１には、凹んだ第一の案内レール１１４６が設けられる。第二の側壁１１４２には、凹んだ第二のレール１１４７が設けられる。第二のレール１１４７の延伸方向は、第一の案内レール１１４６の延伸方向と一致する。可動ベース３には、互いに対向して配置された第一の案内ブロック３７と第二の案内ブロック３８とが設けられる。第一の案内ブロック３７は、第一の外側壁３３から突出している。第二の案内ブロック３８は、第二の外側壁３４から突出している。第一の案内ブロック３７は、第一の案内レール１１４６に摺動可能に取り付けられている。第二の案内ブロック３８は、第二のレール１１４７に摺動可能に取り付けられている。
【００５７】
本実施形態では、第一の案内レール１１４６は第一の案内ブロック３７を制限して案内し、第二の案内レール１１４７は第二の案内ブロック３８を制限して案内する。これにより、可動ベース３を第一の凹部１１４から円滑に摺動して出入れすることができ、可動ベース３が第一の凹部１１４から外れるのを防止することもでき、移動端末１００の信頼性を向上させることができる。
【００５８】
第一の案内レール１１４６および第二のレール１１４７の一方を第一のハウジング１１上に配置することもでき、これに対応して、第一の案内ブロック３７および第二の案内ブロック３８の一方を可動ベース３上に配置することもできる。
【００５９】
別の実施形態では、図１１および図１２を一緒に参照すると、第一の凹部１１４（部分１１４０である）内の第一の内面１１１は湾曲している。可動ベース３の外側壁３０は、湾曲している。可動ベース３の外側壁３０は、第一の凹部１１４内の第一の内面１１１の部分１１４０と対向して配置されている。可動ベース３の外側壁３０と第一の凹部１１４内の第一の内面１１１の部分１１４０とは、互いに近接して対向している。可動ベース３は、第一のハウジング１１に回転可能に接続され、第一の凹部１１４から回転して出入りする。
【００６０】
本実施形態では、可動ベース３は、第一のハウジング１１に回転可能に接続され、第一の凹部１１４内の第一の内面１１１の部分１１４０の軌跡が可動ベース３の回転軌跡に適合している。第一の凹部１１４内の第一の内面１１１の部分１１４０は円弧状であり、可動ベース３の外側壁３０は円弧状であり、いずれの形状も可動ベース３の回転軌跡に適合しているので、可動ベース３を第一の凹部１１４に対して円滑に回転して出入れすることができる。
【００６１】
第一の凹部１１４は、半円形状を有する。可動ベース３は、半円形状または扇形状を有する。可動ベース３の回転中心３０’は、第一の凹部１１４に対する中心１１４０’と一致する。このとき、可動ベース３は、第一のハウジング１１に対してより円滑に回転することができる。可動ベース３が半円形の場合、可動ベース３は、外側壁３０に接続された頂部側壁３０”をさらに含み、可動ベース３が第一の凹部１１４内に回転されると、頂部側壁３０”は、第一のハウジング１１の第一の円周側面１１３と面一となる。可動ベース３が扇形状である場合、可動ベース３は、第一の壁と、第一の壁に接続される第二の壁とをさらに含む。第一の壁と第二の壁とは、可動ベース３の外側壁３０の両端に接続されている。第一の側壁と第二の側壁との間には、１８０°未満の角度が形成される。
【００６２】
第一の凹部１１４の第一の内面１１１には、凹んだ案内レール１１４８が設けられる。可動ベース３の外側壁には、突出した案内ブロック３９が設けられる。案内ブロック３９は、案内レール１１４８に摺動可能に取り付けられている。案内レール１１４８は、案内ブロック３９を制限して案内することにより、可動ベース３を円滑に第一の凹部１１４から回転して出入れすることができ、可動ベース３が第一の凹部１１４から外れるのも防止して、移動端末１００の信頼性を向上させることができる。
【００６３】
移動端末１００は、第二の駆動アセンブリをさらに含む。第二の駆動アセンブリは、可動ベース３を駆動して、第一の凹部１１４から回転して出入れするように構成される。第二の駆動アセンブリは、モータと、第一の歯車と、第二の歯車とを含む。モータは、第一の歯車を回転駆動するように構成されている。第二の歯車は、第一の歯車と噛み合う。第二の歯車は、可動ベース３の回転軸上に固定されており、第二の歯車の回転中心は、可動ベース３の回転軸の回転中心と一致している。モータは、可動ベース３を駆動して、第一の歯車および第二の歯車を介してその回転軸の周りを回転し、第一の凹部１１４の外側または内側に回転する。
【００６４】
一実施形態では、図３、図６および図１３を一緒に参照すると、第一の内面１１１上の第二の凹部１２４の突起部１２４０の形状と、第一の内面１１１上の第一の凹部１１４のための開口部１１４５の形状とは同じである。突起部１２４０は、第一の形状を有する第一の内面１１１上の第二の凹部１２４によって画定される。開口部１１４５は、第一の内面１１１上の第一の凹部１１４によって画定され、これは第二の形状を有する。第一の形状は、第二の形状と同じである。例えば、図１３に示すように、第一の形状は矩形であり、第二の形状は矩形である。あるいは、第一の形状は半円形であり、第二の形状は半円形である。第一の内面１１１上の第一の凹部１１４によって画定された開口部１１４５は、第一の内面１１１上の第二の凹部１２４の突起部によって完全に覆われている。すなわち、第一の内面１１１上の第二の凹部１２４の突起した面積は、第一の内面１１１上の第一の凹部１１４の開口部１１４５の面積よりも大きい。
【００６５】
本実施形態では、可動ベース３と第二の凹部１２４内の第二の内面１２１との間の第一のギャップ３１の異なる領域の幅が同じであるため、移動端末１００の外観は一定である。また、移動端末１００の信頼性を向上させ、可動ベース３と第一のハウジング１１との干渉を回避することも有利である。
【００６６】
一実施形態では、図８を参照すると、第一の円周側面１１３は、第一の頂面１１３１と、第一の底面１１３２と、第一の側面１１３３とを含む。第一の頂面１１３１は、第一の底面１１３２と対向して配置される。第一の側面１１３３は、第一の頂面１１３１と第一の底面１１３２との間に接続される。第一の凹部１１４は、第一の頂面１１３１（図８に図示）、第一の底面１１３２、および第一の側面１１３３のうちの１つまで延在する。言い換えれば、可動ベース３は、移動端末１００の上面、下面、または左側面または右側面に延在または退避することができる。
【００６７】
本開示では、表示画面２は、様々な方法で実施することができる。
【００６８】
例えば、一実施形態では、図２および図３を一緒に参照すると、表示画面２は、一体化された可撓性表示画面である。第一の外面１１２と、屈曲可能部材１３の外面と、第二の外面１２２とは、表示画面２を一括して保持する。屈曲可能部材１３の外面の両側は、第一の外面１１２および第二の外面１２２にそれぞれ接続されている。
【００６９】
表示画面２は、有機発光ダイオード（ＯＬＥＤ）表示とすることができる。
【００７０】
別の実施形態では、図３および図１４を一緒に参照すると、表示画面２は、第一のサブ表示画面２１および第二のサブ表示画面２２を含む。第一のサブ表示画面２１および第二のサブ表示画面２２は、それぞれ２つの個別の表示画面である。第一のサブ表示画面２１は、第一の外面１１２に置かれている。第二のサブ表示画面２２は、第二の外面１２２に置かれている。屈曲可能部材１３の外面は、可撓性を有する第三のサブ表示画面２３と一緒に置くことができる。第三のサブ表示画面２３は、第一のサブ表示画面２１および第二のサブ表示画面２２に接続されている。当然、他の実施形態では、表示パネルは、屈曲可能部材１３の外面上に置かれなくてもよい。
【００７１】
第一のサブ表示画面２１は、液晶表示であても、有機発光ダイオード表示であってもよい。第二のサブ表示画面２２は、液晶表示であっても、有機発光ダイオード表示であってもよい。第三のサブ表示画面２３は、有機発光ダイオード表示画面とすることができる。
【００７２】
本開示において、図６を一緒に参照すると、支持アセンブリ１は、支持アセンブリ１が折り畳み状態にあるときに、第一のハウジング１１を第二のハウジング１２に対して固定するためのロック構造（１５１、１５２）を有する。これにより、ユーザが移動端末１００を保持することが容易になる。ロック構造（１５１、１５２）は、様々な実施態様を有する。
【００７３】
例えば、支持アセンブリ１は、第一のロック部材１５１および第二のロック部材１５２をさらに含む。第一のロック部材１５１は、第一のハウジング１１上に配置されている。第二のロック部材１５２は、第二のハウジング１２上に配置されている。支持アセンブリ１を折り畳むと、第一のロック部材１５１は、第二のロック部材１５２と協働する。
【００７４】
第一のロック部材１５１は第一の永久磁石であり、第二のロック部材１５２は第二の永久磁石である。第一の永久磁石および第二の永久磁石の端部は、互いに対向し、磁気的に反対である。支持アセンブリ１を折り畳むと、第一の永久磁石と第二の永久磁石とが磁気的に引き付けられる。
【００７５】
代替として、第一のロック部材１５１は、第一の内面１１１から突出したブロックである。第二のロック部材１５２は、第二の内面１２１に凹んだスロットである。支持アセンブリ１を折り畳むと、ブロックはスロットと係合する。ブロックは、スロット内の第二の内面１２１と干渉嵌合して、その間の凝縮力を増大させる。
【００７６】
一実施形態において、図５を参照すると、可動ベース３は、虹彩認識モジュール、顔認識モジュール、フラッシュ、マイクロホン（送信機とも呼ばれる）、およびイヤホン４２（受信機とも呼ばれる）、感光体、および指紋モジュールのうちの少なくとも１つをさらに含む。機能装置（イヤホン４２、感光体、指紋モジュール等）は、可動ベース３内に配置され、使用する必要があるときに、第一のハウジング１１に対して展開することができるように、使用する必要がないときに、第一のハウジング１１に対して折り畳むことができるようになっている。移動端末１００の設計面空間を占有する必要がないため、表示画面２の表示面積を大きくすることができ、移動端末１００の画面本体比を大きくすることができる。また、可動ベース３に収納された機能装置は、重複配置によって移動端末１００の厚さが厚くなるのを避けるために交互に配置することができる。
【００７７】
可動ベース３内のカメラ４１の数は、１つであっても、複数であってもよい。例えば、図５に示すように、カメラ４１の数は、２つである。２つのカメラ４１の撮影方向は、同一であって（前方、後方）もよいし、異なっていて（前方、後方）もよい。
【００７８】
一実施形態では、図３および図４を一緒に参照すると、カメラ４１の撮像面の向きは、第一の外面１１２の向きと同じである。他の実施形態では、図３および図１５を参照すると、カメラ４１の撮像面の向きは、第一の内面１１１の向きと同じである。
【００７９】
本実施形態では、カメラ４１の撮像面の向きが第一の外面１１２の向きと同じである場合には、支持アセンブリ１が折り畳み状態であっても、折り開き状態であっても、撮像して撮影できるように、カメラ４１は、可動ベース３の駆動下で第一の凹部１１４から搬出させる必要がある。カメラ４１の撮像面の向きが第一の内面１１１の向きと同じである場合、支持アセンブリ１は折り開き状態にあるので、カメラ４１は、第一の凹部１１４から搬出された後に撮影を実行することも、あるいは直接撮影を実行することもできる。支持アセンブリ１は折り畳み状態にあり、次いで、カメラ４１は、第一の凹部１１４から搬出された後に撮影を行うことができる。
【００８０】
支持アセンブリ１をある角度まで折り開き、カメラ４１が第二のハウジング１２によって遮られずに、撮像する場合、カメラ４１は、第一の凹部１１４から突出することなく撮影を実行できることは、理解されるべきである。例えば、支持アセンブリ１を折り開く角度は、９０°または１２０°以上である。
【００８１】
図１６を参照すると、可動ベース３は、ボックス３ａとカバープレート３ｂとを含む。カバープレート３ｂは、ボックス３ａを覆う。収容空間は、可動シート３内には画定される。カメラ４１は、収容空間に収容される。カバープレート３ｂは、その上に信号貫通領域３ｃが設けられている。信号貫通領域３ｃは、ビアであってもよく、ビアに透明レンズが挿入されていてもよい。カメラ４１の撮像面は、信号貫通領域３ｃを介して光を集めるように信号貫通領域３ｃに直接対向している。
【００８２】
一実施形態では、図１および図２を一緒に参照すると、移動端末１００は、コントローラ５をさらに含み、コントローラ５は、第一のハウジング１１または第二のハウジング１２内に収容される。コントローラ５は、表示画面２に電気的に接続されている。また、コントローラ５は、可動ベース３に収容される機能装置、例えば、カメラ４１に電気的に接続されてもよい。コントローラ５は、さらに、第一の駆動アセンブリまたは第二の駆動アセンブリに電気的に接続されているが、これは、可動シート３を制御して、第一の凹部１１４から搬出するように、あるいはその中に退避させるようにするためである。
【００８３】
一実施形態では、図１および図２を参照すると、第一のハウジング１１の第一の円周側面１１３または第二のハウジング１２の第二の円周側面１２３には、トリガボタン６が設けられている。トリガボタン６は、コントローラ５に接続されている（電気的に接続され、信号接続されている）。ユーザがトリガボタン６を押すこと、または触れることで、トリガボタン６はトリガ信号をコントローラ５に送信し、コントローラ５は、第一の駆動アセンブリまたは第二の駆動アセンブリを制御して、可動シート３を、必要に応じて、第一の駆動アセンブリまたは第二の駆動アセンブリによって、第一の凹部１１４から搬出するか、あるいはその中に退避させる。当然、他の実施形態では、第一の円周側面１１３および第二の円周側面１２３の両方に、トリガボタンが設けられる。トリガ信号は、撮影信号、撮影終了信号、着信信号、着信終了信号などであってもよい。
【００８４】
他の実施形態では、トリガボタンは、表示画面２上に配置されたタッチアイコンであってもよい。タッチアイコンをクリックすると、トリガ信号がコントローラ５に送信される。コントローラ５は、トリガ信号に基づいて、第一の駆動アセンブリまたは第二の駆動アセンブリを制御して、可動ベース３を駆動して、移動させる。
【００８５】
一実施形態では、図３、図５および図１７を一緒に参照すると、カメラ４１の撮像面の向きは、第一の内面１１１の向きと同じである。コントローラ５は、受信ユニット５１１と、検出ユニット５１２と、駆動ユニット５１３とを含む。
【００８６】
受信ユニット５１１は、撮影信号を受信するように構成されている。
【００８７】
検出ユニット５１２は、撮影信号に基づいて、支持アセンブリ１が折り開き状態にあるか、または折り畳み状態にあるかを検出するように構成されている。
【００８８】
駆動ユニット５１３は、支持アセンブリ１が折り開き状態にあるときに、カメラ４１を制御して撮影するように、支持アセンブリ１が折り畳み状態にあるときに、可動ベース３を駆動して、カメラ４１を保持して、第一の凹部１１４から搬出させ、カメラ４１を制御して撮影するように構成されている。
【００８９】
この実施形態では、移動端末１００は、カメラ４１を制御して、折り開き状態または折り畳み状態にある支持ユニット１に従って、直接撮影することも、あるいは第一の凹部１１４を搬出させた後に撮影することもきる。このようにして、撮影作用の有効性が確保され、ユーザが効果的な撮像を取得することを可能になり、ユーザ体験が改善される。
【００９０】
他の実施形態では、支持アセンブリ１が折り開き状態にあるときに、駆動ユニット５１３を使用して、可動ベース３を駆動して、カメラ４１を保持して、第一の凹部１１４から搬出させて、カメラ４１を制御して撮影を行うこともできることが理解できる。
【００９１】
受信ユニット５１１は、撮影終了信号を受信するように、さらに構成されている。検出ユニット５１２は、撮影終了信号に基づいて、第一の凹部１１４に対する可動ベース３の可動状態を検出するように、さらに構成されている。駆動ユニット５１３は、可動ベース３を第一の凹部１１４から搬出したときに、可動ベース３を第一の凹部１１４の中に退避させて、カメラ４１の撮影を終了するように、可動ベース３を第一の凹部１１４の中に退避させたときに、カメラ４１の撮影を終了するように、さらに構成されている。
【００９２】
表示画面２は、第一の表示領域２ａおよび第二の表示領域２ｂを含む。第一の表示領域２ａは、第一の外面１１２と重なり合う。第二の表示領域２ｂは、第二の外面１２２と重なり合う。
【００９３】
コントローラ５は、判定ユニット５１４と、切替ユニット５１５とをさらに含む。
【００９４】
判定ユニット５１４は、撮影信号が正面撮影用であるか、背面撮影用であるかを判定するように構成されている。
【００９５】
切替ユニット５１５は、撮影信号が背面撮影用であるときに、第一の表示領域２ａを切り替えてカメラ４１の撮影インタフェースを表示するように、撮影信号が正面撮影用であるときに、第二の表示領域２ｂを切り替えてカメラ４１の撮影インタフェースを表示するように構成されている。
【００９６】
この実施形態では、移動端末１００は、ユーザの撮影要件に応じてカメラ４１の撮影インタフェースを柔軟に切り替えることができるため、ユーザの撮影体験が向上する。
【００９７】
別の実施形態では、図３、図１５、および図１８を一緒に参照すると、カメラ４１の撮像面の向きは、第一の外面１１２の向きと同じである。コントローラ５は、受信ユニット５２１と、駆動ユニット５２２とを含む。
【００９８】
受信ユニット５２１は、撮影信号を受信するように構成されている。
【００９９】
駆動ユニット５２２は、撮影信号に基づいて、可動ベース３を駆動して、カメラ４１を保持して、第一の凹部１１４から搬出させ、カメラ４１を制御して撮影を実行するように構成されている。
【０１００】
受信ユニット５２１は、撮影終了信号を受信するように、さらに構成されている。駆動ユニット５２２は、撮影終了信号に基づいて、可動ベース３を駆動して、第一の凹部１１４内に退避させて、カメラ４１の撮影が終了するように、さらに構成されている。
【０１０１】
表示画面２は、第一の表示領域２ａおよび第二の表示領域２ｂを含み、第一の表示領域２ａは第一の外面１１２と重なり合い、第二の表示領域２ｂは第二の外面１２２と重なり合う。コントローラ５は、判定ユニット５２３と、切替ユニット５２４とをさらに含む。
【０１０２】
判定ユニット５２３は、撮影信号が正面撮影用であるか、背面撮影用であるかを判定するように構成されている。
【０１０３】
切替ユニット５２４は、撮影信号が正面撮影用である場合、第一の表示領域２ａを切り替えてカメラ４１の撮影インタフェースを表示するように、撮影信号が正面撮影用である場合、第二の表示領域２ｂを切り替えてカメラ４１の撮影インタフェースを表示するように構成されている。
【０１０４】
図１９を参照すると、移動端末を制御するための方法が、本開示の実施形態にさらに示されている。この移動端末を制御するための方法は、上記実施形態で説明した移動端末１００に適用される（図１〜図１４、図１６、図１７を併せて参照されたい）。移動端末１００は、支持アセンブリ１と、表示画面２と、可動ベース３とを含む。支持アセンブリ１は、第一のハウジング１１と、第二のハウジング１２と、屈曲可能部材１３とを含む。屈曲可能部材１３は、第一のハウジング１１と第二のハウジング１２との間に接続されており、屈曲可能部材１３は、支持アセンブリ１を折り開くために、または折り畳むために、展開可能または屈曲可能である。
【０１０５】
第一のハウジング１１は、第一の内面１１１と、第一の外面１１２と、第一の円周側面１１３とを含む。表示画面２は、第一の外面１１２上に保持される。第一の内面１１１は、第一の外面１１２に対向して配置される。第一の円周側面１１３は、第一の内面１１１と第一の外面１１２との間に接続されている。第一のハウジング１１は、第一の凹部１１４を画定する。第一の内面１１１は、第一の凹部１１４が画定されるように第一の外面１１２に向かって凹み、第一の凹部１１４は、第一の円周側面１１３まで延在する。
【０１０６】
可動ベース３には、カメラ４１が配置されている。可動ベース３は、第一の凹部１１４に移動可能に取り付けられている。可動ベース３は、カメラ４１を保持して、第一の円周側面１１３に対して、第一の凹部１１４から搬出させること、またはその中に退避させることができる。図４および図５に示すように、カメラ４１の撮像面の向きは、第一の内面１１１の向きと同じである。
【０１０７】
第二のハウジング１２は、第二の内面１２１および第二の外面１２２を含む。表示画面２は、第二の外面１２２上に保持される。第二の内面１２１は、第二の外面１２２に対向して配置される。第二のハウジング１２は、第二の凹部１２４を画定する。支持アセンブリ１を折り畳むと、第二の内面１２１は第一の内面１１１に対向して配置され、第一の凹部１１４は第一の内面１１１上の第二の凹部１２４の突起部によって覆われる。第二の凹部１２４は、可動ベース３の一部を収容するように構成されている。
【０１０８】
移動端末を制御するための方法は、以下のブロックの作用／動作を含む。
【０１０９】
ブロック１０１では、撮影信号を受信する。
【０１１０】
ブロック１０２では、撮影信号に基づいて、支持アセンブリ１が折り開き状態にあるか、または折り畳み状態にあるかを検出する。
【０１１１】
ブロック１０３１では、支持アセンブリ１が折り開き状態にある場合、カメラ４１を制御して、撮影を実行する。
【０１１２】
ブロック１０３２では、支持アセンブリ１が折り畳み状態にある場合、可動ベース３を駆動して、カメラ４１を保持して、第一の凹部１１４から搬出させ、カメラ４１を制御して、撮影を実行する。
【０１１３】
この実施形態では、移動端末を制御するための方法は、支持アセンブリ１が折り開き状態にあるか、または折り畳み状態にあるかに基づいて、カメラ４１を制御して、直接撮影するようにすることも、あるいは第一の凹部１１４から搬出させた後に、撮影するようにすることもできる。このようにして、撮影作用の有効性が確保され、ユーザが効果的な撮像を取得することを可能になり、ユーザ体験が改善される。
【０１１４】
本開示において、移動端末１００に、第一のハウジング１１と第二のハウジング１２との間の角度を検出する角度センサを設けて、支持アセンブリ１の状態を得ることができることが理解されよう。他の実施形態では、移動端末１００は、また距離センサを使用することによって、第一のハウジング１１のある点と第二のハウジング１２のある点との間の距離を検出し、次いで、アルゴリズムによって、ハウジング１１と第二のハウジング１２との間の角度を導出することができる。第一のハウジング１１と第二のハウジング１２との角度を検出する方法は、厳密に限定されるものではない。
【０１１５】
図２０を一緒に参照すると、移動端末を制御するための方法は、以下のブロックの作用／動作をさらに含む。
【０１１６】
ブロック１０４では、撮影終了信号を受信する。
【０１１７】
ブロック１０５では、撮影終了信号に基づいて、第一の凹部１１４に対する可動ベース３の可動状態を検出する。
【０１１８】
ブロック１０６１では、可動ベース３が第一の凹部１１４から搬出された場合、可動ベース３を駆動して、第一の凹部１１４の中に退避させ、カメラ４１の撮影を終了する。
【０１１９】
ブロック１０６２では、可動ベース３が第一の凹部１１４の中に退避された場合、カメラ４１の撮影を終了する。
【０１２０】
表示画面２は、第一の表示領域２ａおよび第二の表示領域２ｂを含む。第一の表示領域２ａは、第一の外面１１２と重なり合う。第二の表示領域２ｂは、第二の外面１２２と重なり合う。
【０１２１】
図１９を参照すると、移動端末を制御するための方法は、以下のブロックの作用／動作をさらに含む。
【０１２２】
ブロック１０７では、撮影信号が、正面撮影用であるか、または背面撮影用であるかを判定する。
【０１２３】
ブロック１０８１では、撮影信号が背面撮影用である場合、第一の表示領域２ａを切り替えてカメラ４１の撮影インタフェースを表示する。
【０１２４】
ブロック１０８２では、撮影信号が正面撮影用である場合、第二の表示領域２ｂを切り替えてカメラ４１の撮影インタフェースを表示する。
【０１２５】
本実施形態では、ブロック１０７は、ブロック１０１の後に実行される。ブロック１０８１および１０８２は、カメラ４１の撮影作用の前に実行される。例えば、これらのブロックは、ブロック１０２と同期して実行されても、あるいはブロック１０３１および１０３２の前に実行されてもよい。
【０１２６】
移動端末を制御するための方法は、以下の作用／動作をさらに含む。
【０１２７】
移動端末１００の加速度が閾値に達したことが検出されると、第一の凹部１１４に対する可動ベース３の可動状態が検出される。
【０１２８】
可動ベース３が第一の凹部１１４から搬出された場合、可動ベース３を駆動して、第一の凹部１１４の中に退避させる。
【０１２９】
移動端末１００は、重力センサ（図示せず）をさらに含む。重力センサは、コントローラ５に電気的に接続される。重力センサは、移動端末１００の加速度を検出するために使用される。重力センサは加速度が閾値に達したことを検出すると、コントローラ５は、移動端末１００が落下環境または衝撃環境にあると判定し、その後、可動ベース３の伸縮状態を検出し、対応する作用を生成する。こうして、可動ベース３を第一の凹部１１４の中に退避させ、可動ベース３とカメラ４１とが衝撃で破損するのを確実に防止する。
【０１３０】
図２１を参照すると、本開示の別の実施形態において、移動端末を制御するための方法が示されている。この移動端末を制御するための方法は、上記実施形態で説明した移動端末１００に適用される（図１〜図３、図６〜図１６、図１８を併せて参照されたい）。移動端末１００は、支持アセンブリ１と、表示画面２と、可動ベース３とを含む。支持アセンブリ１は、第一のハウジング１１と、第二のハウジング１２と、屈曲可能部材１３とを含む。屈曲可能部材１３は、第一のハウジング１１と第二のハウジング１２との間に接続されており、屈曲可能部材１３は、支持アセンブリ１を折り開くために、または折り畳むために、展開または屈曲することができる。
【０１３１】
第一のハウジング１１は、第一の内面１１１と、第一の外面１１２と、第一の円周側面１１３とを含む。表示画面２は、第一の外面１１２上に保持される。第一の内面１１１は、第一の外面１１２に対向して配置される。第一の円周側面１１３は、第一の内面１１１と第一の外面１１２との間に接続されている。第一のハウジング１１は、第一の凹部１１４を画定する。第一の内面１１１は、第一の凹部１１４が画定されるように第一の外面１１２に向かって凹み、第一の凹部１１４は、第一の円周側面１１３まで延在する。
【０１３２】
可動ベース３には、カメラ４１が配置されている。可動ベース３は、第一の凹部１１４に移動可能に取り付けられている。可動ベース３は、カメラ４１を保持して、第一の円周側面１１３に対して、第一の凹部１１４から搬出させること、またはその中に退避させることができる。図１５に示すように、カメラ４１の撮像面の向きは、第一の内面１１１の向きと同じである。
【０１３３】
第二のハウジング１２は、第二の内面１２１および第二の外面１２２を含む。表示画面は、第二の外面１２２上に保持される。第二の内面１２１は、第二の外面１２２に対向して配置される。第二のハウジング１２は、第二の凹部１２４を画定する。支持アセンブリ１を折り畳むと、第二の内面１２１は第一の内面１１１に対向して配置され、第一の凹部１１４は第一の内面１１１上の第二の凹部１２４の突起部によって覆われる。第二の凹部１２４は、可動ベース３の一部を収容するように構成されている。
【０１３４】
移動端末を制御するための方法は、以下のブロックの作用／動作を含む。
【０１３５】
ブロック２０１では、撮影信号を受信する。
【０１３６】
ブロック２０２では、撮影信号に基づいて、可動ベース３を駆動して、カメラ４１を保持して、第一の凹部１１４から搬出させ、その後、カメラ４１を制御して、撮影を実行する。
【０１３７】
この実施形態では、移動端末を制御するための方法は、可動ベース３を制御して、カメラ４１を保持して、第一の凹部１１４から搬出させて、撮影を実行することで、撮影が必要なときに、ユーザ相互作用要求を満たすようにしてもよい。
【０１３８】
図２２を一緒に参照すると、移動端末を制御するための方法は、以下のブロックの作用／動作をさらに含む。
【０１３９】
ブロック２０３では、撮影終了信号を受信する。
【０１４０】
ブロック２０４では、撮影終了信号に基づいて、可動ベース３を駆動して、第一の凹部１１４の中に退避させ、カメラ４１の撮影を終了する。
【０１４１】
表示画面２は、第一の表示領域２ａおよび第二の表示領域２ｂを含む。第一の表示領域２ａは、第一の外面１１２と重なり合う。第二の表示領域２ｂは、第二の外面１２２と重なり合う。
【０１４２】
図２１を参照すると、移動端末を制御するための方法は、以下のブロックの作用／動作をさらに含む。
【０１４３】
ブロック２０５は、撮影信号が正面撮影用であるか、または背面撮影用であるかを判定する。
【０１４４】
ブロック２０６１は、撮影信号が正面撮影用である場合、第一の表示領域２ａを切り替えてカメラ４１の撮影インタフェースを表示する。
【０１４５】
ブロック２０６２は、撮影信号が背面撮影用である場合、第二の表示領域２ｂを切り替えてカメラ４１の撮影インタフェースを表示する。
【０１４６】
本実施形態では、ブロック２０５は、ブロック２０１の後に実行される。ブロック２０６１および２０６２は、カメラ４１の撮影作用の前に完了する。例えば、可動ベース３が第一の凹部１１４の中に退避する作用と同期して、またはブロック２０４の前に、これらの作用を実行することができる。
【０１４７】
移動端末を制御するための方法は、以下の作用／動作をさらに含む。
【０１４８】
移動端末１００の加速度が閾値に達したことが検出されると、第一の凹部１１４に対する可動ベース３の可動状態が検出される。
【０１４９】
可動ベース３が第一の凹部１１４から突出している場合、可動ベース３が駆動して、第一の凹部１１４の中に退避させる。
【０１５０】
移動端末１００は、重力センサ（図示せず）をさらに含む。重力センサは、コントローラ５に電気的に接続される。重力センサは、移動端末１００の加速度を検出するために使用される。重力センサは加速度が閾値に達したことを検出すると、コントローラ５は、移動端末１００が落下環境または衝撃環境にあると判定し、その後、可動ベース３の伸縮状態を検出し、対応する作用を生成する。こうして、可動ベース３を第一の凹部１１４の中に退避させ、可動ベース３とカメラ４１とが衝撃で破損するのを確実に防止する。
【０１５１】
一実施形態では、図１〜図２２に示すように、移動端末１００は、支持アセンブリ１と、表示画面２と、可動ベース３とを含む。支持アセンブリ１は、第一のハウジング１１と、第二のハウジング１２と、屈曲可能部材１３とを含む。第一のハウジング１１は、第一の凹部１１４を画定し、第一の内面１１１と、第一の内面１１１に対向して配置された第一の外面１１２と、第一の内面１１１と第一の外面１１２との間に接続された第一の円周側面１１３とを含む。第一の内面１１１は、第一の凹部１１４が画定されるように第一の外面１１２に向かって凹み、第一の凹部１１４は、第一の円周側面１１３まで延在する。第二のハウジング１２は、第二の凹部１２４を画定し、支持アセンブリ１を折り畳むと、第一の内面１１１に対向する第二の内面１２１と、第二の内面１２１に対向して配置される第二の外面１２２とを含む。第一の凹部１１４は、第一の内面１１１上の第二の凹部１２４の突起部によって覆われている。屈曲可能部材１３は、第一のハウジング１１と第二のハウジング１２との間に接続され、支持アセンブリ１を折り開くために、または折り畳むために、展開または屈曲することができる。表示画面２の一部は第一の外面１１２上に保持され、表示画面２の別の一部は第二の外面１２２上に保持される。可動ベース３は、第一の凹部１１４に移動可能に取り付けられている。可動ベース３内にカメラ４１が配置され、可動ベース３は、カメラ４１を保持して、第一の円周側面１１３に対して、第一の凹部１１４から搬出するように、またはその中に退避するようにすることができ、第二の凹部１２４は、可動ベース３の一部を収容するように構成されている。
【０１５２】
一例では、図６に示すように、可動ベース３の一部が第二の凹部１２４内に収容されると、第一のギャップ３１が、可動ベース３の外側壁と第二の凹部１２４内の第二の内面１２１との間に画定される。
【０１５３】
一例では、図７に示すように、第二のハウジング１２は、第二の凹部１２４内の第二の内面１２１に互いに離間する複数の突出部１２５をさらに含み、複数の突出部１２５と可動ベース３の外面との間に第二のギャップ３２が画定され、第二のギャップ３２は第一のギャップ３１よりも小さい。
【０１５４】
一例では、図８および図９に示すように、第一のハウジング１１は、互いに対向する第一の側壁１１４１および第二の側壁１１４２を含み、第一の側壁１１４１および第二の側壁１１４２は、第一の凹部１１４内にあり、可動ベース３は、第一の側壁１１４１および第二の側壁１１４２に摺動可能に接続され、第一の凹部１１４に摺動して出入りする。
【０１５５】
一例では、図１０に示すように、第一の案内レール１１４６が第一の側壁１１４１に凹設され、第二の案内レール１１４７が第二の側壁１１４２に凹設され、第二の案内レール１１４７と第一の案内レール１１４６の延伸方向が同一である。互いに対向する第一の案内ブロック３７と第二の案内ブロック３８とが可動ベース３上に配置され、第一の案内ブロック３７は第一の案内レール１１４６上に摺動可能に取り付けられ、第二の案内ブロック３８は第二の案内レール１１４７上に摺動可能に取り付けられている。
【０１５６】
一例では、図１１および図１２に示すように、第一の凹部１１４内の第一の内面１１１が円弧状に形成され、可動ベース３の外側壁が円弧状に形成され、可動ベース３の外側側壁が第一の凹部１１４内の第一の内面１１１と対向しており、可動ベース３は、第一のハウジング１１に回転可能に接続され、第一の凹部１１４から回転して出入りする。
【０１５７】
一例では、図３、図６および図１３に示すように、第一の内面１１１上の第二の凹部１２４の突起形状と、第一の内面１１１上の第一の凹部１１４の開口形状とは、実質的に同一である。
【０１５８】
一例では、図８に示されるように、第一の円周側面１１３は、第一の頂面１１３１と、第一の頂面１１３１に対向する第一の底面１１３２と、第一の頂面１１３１と第一の底面１１３２との間に接続される第一の側面１１３３とを含む。第一の凹部１１４は、第一の頂面１１３１、第一の底面１１３２、および第一の側面１１３３のうちの１つまで延在する。
【０１５９】
一例では、表示画面２は、可撓性表示画面である。第一の外面１１２と、屈曲可能部材１３の外面と、第二の外面１２２とは、表示画面２を一括して保持する。
【０１６０】
一例では、図６に示すように、支持アセンブリ１は、第一のハウジング１１上に配置された第一のロック部材１５１と、第二のハウジング１２上に配置された第二のロック部材１５２とをさらに含む。第一のロック部材１５１は、支持アセンブリ１を折り畳むと、第二のロック部材１５２と協働する。
【０１６１】
一例では、第一のロック部材１５１は第一の永久磁石であり、第二のロック部材１５２は第二の永久磁石であり、第一の永久磁石は、支持アセンブリ１を折り畳むと、第二の永久磁石に磁気的に引き付けられる。
【０１６２】
一例では、第一のロック部材１５１は第一の内面１１１から突出したブロックであり、第二のロック部材１５２は第二の内面１２１に凹設されたスロットであり、ブロックは、支持アセンブリ１を折り畳むと、スロットと係合する。
【０１６３】
一例では、図３および図５に示すように、カメラ４１の撮像面の向きは、第一の内面１１１の向きと同じである。図１７に示すように、移動端末１００は、第一のハウジング１１または第二のハウジング１２に収容されたコントローラ５をさらに含み、コントローラ５は、撮影信号を受信し、撮影信号に基づいて、支持アセンブリ１が折り開き状態にあるか、または折り畳み状態にあるかを検出し、支持アセンブリ１が折り開き状態にあるときに、カメラ４１を制御して撮影するように、支持アセンブリ１が折り畳み状態にあるときに、可動ベース３を駆動して、カメラ４１を保持して、第一の凹部１１４から搬出させ、カメラ４１を制御して撮影するように構成されている。
【０１６４】
一例では、表示画面２は、第一の外面１１２と重なり合う第一の表示領域２ａと、第二の外面１２２と重なり合う第二の表示領域２ｂとを含む。コントローラ５は、撮影信号が正面撮影用であるか、背面撮影用であるかを判定し、撮影信号が背面撮影用である場合、第一の表示領域２ａを切り替えてカメラ４１の撮影インタフェースを表示するように、撮影信号が正面撮影用である場合、第二の表示領域２ｂを切り替えてカメラ４１の撮影インタフェースを表示するように、さらに構成されている。
【０１６５】
別の例では、図３および図１５に示すように、カメラ４１の撮像面の向きは、第一の外面１１２の向きと同じである。図１８に示すように、移動端末１００は、第一のハウジング１１または第二のハウジング１２に収容されたコントローラ５をさらに含み、コントローラ５は、撮影信号を受信し、可動ベース３を駆動して、カメラ４１を保持して、第一の凹部１１４から搬出させ、撮影信号に基づいて、カメラ４１を制御して撮影するように構成される。
【０１６６】
一例では、表示画面２は、第一の外面１１２と重なり合う第一の表示領域２ａと、第二の外面１２２と重なり合う第二の表示領域２ｂとを含む。コントローラ５は、撮影信号が正面撮影用であるか背面撮影用であるかを判定し、撮影信号が正面撮影用である場合、第一の表示領域２ａを切り替えてカメラ４１の撮影インタフェースを表示するように、撮影信号が背面撮影用である場合、第二の表示領域２ｂを切り替えてカメラ４１の撮影インタフェースを表示するように、さらに構成されている。
【０１６７】
別の実施形態では、図１〜図２２に示すように、移動端末１００は、第一の凹部１１４を画定する第一のハウジング１１と、第二の凹部１２４を画定する第二のハウジング１２と、屈曲可能部材１３と、カメラ４１を備えた可動ベース３とを含む。屈曲可能部材１３は、第一のハウジング１１と第二のハウジング１２との間に接続され、第一のハウジング１１が第二のハウジング１２に対して折り開かれること、または折り畳まれることを可能にする。カメラ４１を備えた可動ベース３は、第一のハウジング１１に移動可能に取り付けられている。カメラ４１を備えた可動ベース３は、第一のハウジング１１が第二のハウジング１２に対して折り開かれるときに、第一の凹部１１４に収容されるように構成され、第一のハウジング１１が第二のハウジング１２に対して折り畳まれるときに、第一の凹部１１４および第二の凹部１２４によって画定されるチャンバを収容するように構成されている。
【０１６８】
一例では、図３および図５に示すように、カメラ４１の撮像面は、第一の凹部１１４内の第一のハウジング１１の壁に面する。第一のハウジング１１が第二のハウジング１２に対して折り畳まれたときに、カメラ４１が撮影できるように、カメラ４１を備えた可動ベース３がチャンバから搬出され、第一のハウジング１１が第二のハウジング１２に対して折り開かれたときに、カメラ４１が撮影できるように、カメラ４１を備えた可動ベース３が第一の凹部１１４から搬出される。
【０１６９】
別の例では、図３および図１５に示すように、カメラ４１の撮像面は、第二の凹部１２４内の第二のハウジング１２の壁に面する。第一のハウジング１１が第二のハウジング１２に対して折り畳まれたときに、カメラ４１が撮影できるように、カメラ４１を備えた可動ベース３がチャンバから搬出され、第一のハウジング１１が第二のハウジング１２に対して折り開かれたときに、カメラ４１が撮影できるように、カメラ４１を備えた可動ベース３が第一の凹部１１４から搬出され、またはその中に退避する。
【０１７０】
別の実施形態では、図１〜図２２に示すように、移動端末１００は、第一の凹部１１４を画定する第一のハウジング１１と、第二の凹部１２４を画定する第二のハウジング１２と、屈曲可能部材１３と、表示画面２と、可動ベース３とを含む。屈曲可能部材１３は、第一のハウジング１１と第二のハウジング１２との間に接続され、第一のハウジング１１が第二のハウジング１２に対して折り開かれること、または折り畳まれることを可能にする。表示画面２は、第一のハウジング１１と、第二のハウジング１２と、屈曲可能部材１３とに配置されている。カメラ４１を備えた可動ベース３は、第一のハウジング１１に移動可能に取り付けられている。カメラ４１を備えた可動ベース３は、第一のハウジング１１が第二のハウジング１２に対して折り開かれるときに、第一の凹部１１４に収容されるように構成され、第一のハウジング１１が第二のハウジング１２に対して折り畳まれるときに、第一の凹部１１４および第二の凹部１２４によって画定されるチャンバを収容するように構成されている。
【０１７１】
なお、本開示の実施形態で説明したコントローラは、機能ユニットの形態で提示されている。本明細書で使用される「ユニット」という用語は、可能な限り最も広い意味であると理解されるべきであり、各「ユニット」について説明される機能を実装するための対象は、例えば、集積回路ＡＳＩＣ、単一回路、プロセッサ（共有、専用、またはチップセット）、および１つまたは複数のソフトウェアまたはファームウェアを実行するメモリ、組合せ論理、および／または上述の機能を実行する他の適切な構成要素とすることができる。
【０１７２】
本開示の実施形態では、コンピュータ記憶媒体がさらに提供される。コンピュータ記憶媒体は、電子データ交換のためのコンピュータプログラムを記憶する。コンピュータプログラムは、コンピュータに、前述の実施形態で説明した方法のいずれかの作用の一部または全部を実行させる。上記コンピュータには、移動端末を含む。
【０１７３】
本開示の実施形態では、コンピュータプログラム製品が提供される。コンピュータプログラム製品には、コンピュータプログラムを記憶する一時的でないコンピュータ可読記憶媒体を含む。コンピュータプログラムは、コンピュータに、前述の実施形態で説明した方法のいずれかの作用の一部または全部を実行させる。コンピュータプログラム製品は、ソフトウェアインストールパッケージとすることができ、上記コンピュータには、移動端末を含む。
【図１】
2021517994.tif 000003
【図２】
2021517994.tif 000004
【図３】
2021517994.tif 000005
【図４】
2021517994.tif 000006
【図５】
2021517994.tif 000007
【図６】
2021517994.tif 000008
【図７】
2021517994.tif 000009
【図８】
2021517994.tif 000010
【図９】
2021517994.tif 000011
【図１０】
2021517994.tif 000012
【図１１】
2021517994.tif 000013
【図１２】
2021517994.tif 000014
【図１３】
2021517994.tif 000015
【図１４】
2021517994.tif 000016
【図１５】
2021517994.tif 000017
【図１６】
2021517994.tif 000018
【図１７】
2021517994.tif 000019
【図１８】
2021517994.tif 000020
【図１９】
2021517994.tif 000021
【図２０】
2021517994.tif 000022
【図２１】
2021517994.tif 000023
【図２２】
2021517994.tif 000024
【国際調査報告】
2021517994.tif 000025
2021517994.tif 000026